(57)【要約】【課題】電気部品を外部の回路に電気的に接続させる電気部品用ソケットにおいて、外形寸法の公差の大きい電気部品であっても所定の載置位置に正確に位置決めする。【解決手段】ソケット本体２の載置部７に載置されたＩＣパッケージ１をカバー部材３で押圧して固定し、外部の回路（図示省略）に電気的に接続させる電気部品用ソケットにおいて、ソケット本体２に、ＩＣパッケージ１がカバー部材３で押圧される前に、載置部７の周縁部の一部に設けられた固定ガイド部１４に当接されるＩＣパッケージ１の側面１ａ，１ａと反対側の側面１ｂ，１ｂを固定ガイド部１４の方向に押しＩＣパッケージ１を固定ガイド部１４に片寄せして所定の載置位置に位置決めする手段６，６を備えた。これにより、外形寸法の公差の大きいＩＣパッケージ１であっても所定の載置位置に正確に位置決めすることができる。【選択図】  図１
2004296155.tif 000002
【特許請求の範囲】
【請求項１】
ソケット本体の載置部に載置された電気部品を押圧部材で押圧して固定し、外部の回路に電気的に接続させる電気部品用ソケットにおいて、
上記ソケット本体に、上記電気部品が押圧部材で押圧される前に、上記載置部の周縁部の一部に設けられた固定ガイド部に当接される電気部品の側面と反対側の側面を固定ガイド部の方向に押し該電気部品を固定ガイド部に当接させて所定の載置位置に位置決めする手段を備えたことを特徴とする電気部品用ソケット。
【請求項２】
上記位置決め手段は、上記載置部の周縁部にて固定ガイド部の反対側に取り付けられ該固定ガイド部の方向にスライド可能とされたスライドガイド部と、このスライドガイド部を固定ガイド部の方向に付勢する付勢手段と、上下動可能とされ上昇位置で上記スライドガイド部が固定ガイド部の方向にスライドするのを停止し下降位置でその停止を解除するストッパ手段とを備えて成ることを特徴とする請求項１記載の電気部品用ソケット。
【請求項３】
上記ストッパ手段は、上方向に付勢されて上記載置部に取り付けられ、上昇位置に押し上げられた状態で上記スライドガイド部が固定ガイド部の方向にスライドするのを停止し、下降位置に押し込まれた状態でその停止を解除するカム部材から成ることを特徴とする請求項２記載の電気部品用ソケット。
【請求項４】
上記ストッパ手段は、押圧部材によって電気部品が押圧される前に下降位置に押し込み可能とされていることを特徴とする請求項２又は３記載の電気部品用ソケット。
【請求項５】
上記スライドガイド部は、上記載置部に載置された電気部品の側面に接触する接触部を有する細長い板状のものであることを特徴とする請求項２記載の電気部品用ソケット。
【請求項６】
上記スライドガイド部の両端部が、上記ストッパ手段と係合することを特徴とする請求項５記載の電気部品用ソケット。
【請求項７】
上記スライドガイド部の内側辺部に、電気部品を載置部に誘い込むためのガイド形状を有することを特徴とする請求項５又は６記載の電気部品用ソケット。
【請求項８】
上記付勢手段は、トーションスプリングであることを特徴とする請求項２記載の電気部品用ソケット。
【発明の詳細な説明】
【０００１】
【発明の属する技術分野】
本発明は、ＩＣパッケージなどの電気部品を載置部に着脱可能に保持して外部の回路に電気的に接続させる電気部品用ソケットに関し、詳しくは、載置部に載置された電気部品の側面を押して位置決めする手段を備えたことで、外形寸法の公差が大きい電気部品であっても所定の載置位置に正確に位置決めすることができる電気部品用ソケットに関するものである。
【０００２】
【従来の技術】
ＩＣパッケージなどの電気部品を着脱可能に保持して外部の測定器に電気的に接続させる電気部品用ソケットのうち、いわゆるクラムシェルタイプのものは、電気部品を載置する載置部が設けられたソケット本体と、このソケット本体の一端側にて開閉可能に軸支され閉じた状態で載置部に載置された電気部品を押圧して固定するカバー部材とを備えて成る。この種の電気部品用ソケットにおいて、載置部に載置された電気部品の隅角部位をその対角線方向に押して反対側の隅角部位を載置部の隅部に設けられたガイド突起に当接させる押圧手段を備えたものがあった（例えば、特許文献１参照。）。
【０００３】
そして、このような押圧手段を備えた電気部品用ソケットを使用して電気部品を保持するときには、まずカバー部材を開いてソケット本体の載置部に電気部品を載置し、次にこのカバー部材を閉じることで電気部品を押さえつけて固定するようになっていた。このとき、カバー部材を閉じる動作に伴って、押圧手段としての板ばねが電気部品の隅角部位を対角線方向に押し、その対角線上の反対側の隅角部位が載置部の隅部に設けられたガイド突起に当接するようになっていた。これにより、電気部品がガイド突起に当接して所定の載置位置に位置決めされ、電気部品の各接続端子が電気部品用ソケットの各コンタクトピンに電気的に接続するようになっていた。
【０００４】
【特許文献１】
特開２０００−１８２７３９号公報  （第３〜６頁、第１図）
【０００５】
【発明が解決しようとする課題】
しかし、特許文献１に記載された発明は、載置部に載置された電気部品の一の隅角部位を対角線方向に押して電気部品を位置決めするようになっていたので、その反対側の隅角部位がガイド突起に当接したときに、その隅角部位を中心に電気部品の角度がわずかにずれることがあった。特に、外形寸法の公差が大きな電気部品の場合には、その一の隅角部位を対角線方向に押したときにずれる角度が大きくなり、電気部品を所定の載置位置に正確に位置決めすることができないことがあった。この場合には、電気部品の各接続端子が電気部品用ソケットの所定のコンタクトピンに合致せず、その電気的接続を図ることができなかった。
【０００６】
また、押圧手段としての板ばねは、その弾性力をコントロールすることができず、大きな弾性力を得るためには、板ばね自体の大きさを大型化するか、あるいは板ばねを数枚重ね合せた重ね板ばねを用いなければならなかった。そのため、例えば大型で重量の重い電気部品を保持するための電気部品用ソケットに従来の技術を適用した場合には、大型の板ばね等を用いなければならず、電気部品用ソケットが大型化してしまうという問題点があった。
【０００７】
そこで、本発明は、このような問題点に対処し、外形寸法の公差が大きい電気部品であっても所定の載置位置に正確に位置決めすることができる電気部品用ソケットを提供することを目的とする。
【０００８】
【課題を解決するための手段】
上記目的を達成するために、本発明による電気部品用ソケットは、ソケット本体の載置部に載置された電気部品を押圧部材で押圧して固定し、外部の回路に電気的に接続させる電気部品用ソケットにおいて、上記ソケット本体に、上記電気部品が押圧部材で押圧される前に、上記載置部の周縁部の一部に設けられた固定ガイド部に当接される電気部品の側面と反対側の側面を固定ガイド部の方向に押し電気部品を固定ガイド部に当接させて所定の載置位置に位置決めする手段を備えたものである。
【０００９】
このような構成により、上記ソケット本体に、上記載置部に載置された電気部品の側面を押して位置決めする手段を備えたことによって、電気部品が押圧部材で押圧される前に、載置部の周縁部の一部に設けられた固定ガイド部に当接される電気部品の側面と反対側の側面が固定ガイド部の方向に押され電気部品を固定ガイド部に当接させて所定の載置位置に位置決めすることができる。したがって、外形寸法の公差が大きい電気部品であっても角度がずれないようになり所定の載置位置に正確に位置決めすることができる。
【００１０】
ここで、上記位置決め手段は、上記載置部の周縁部にて固定ガイド部の反対側に取り付けられ固定ガイド部の方向にスライド可能とされたスライドガイド部と、このスライドガイド部を固定ガイド部の方向に付勢する付勢手段と、上下動可能とされ上昇位置で上記スライドガイド部が固定ガイド部の方向にスライドするのを停止し下降位置でその停止を解除するストッパ手段とを備えて成るものである。これにより、上下動可能とされたストッパ手段が上昇位置のときには付勢手段で付勢されたスライドガイド部が固定ガイド部の方向にスライドするのを停止し、このストッパ手段が下降位置のときにはスライドガイド部の停止が解除されて固定ガイド部の方向にスライドする。
【００１１】
また、上記ストッパ手段は、上方向に付勢されて上記載置部に取り付けられ、上昇位置に押し上げられた状態で上記スライドガイド部が固定ガイド部の方向にスライドするのを停止し、下降位置に押し込まれた状態でその停止を解除するカム部材から成るものでもよい。これにより、ストッパ手段が上昇位置に押し上げられているときにはスライドガイド部が固定ガイド部の方向にスライドするのを停止し、このストッパ手段が下降位置に押し込まれたときにはスライドガイド部の停止が解除されて固定ガイド部の方向にスライドする。
【００１２】
さらに、上記ストッパ手段は、押圧部材によって電気部品が押圧される前に下降位置に押し込み可能とされている。これにより、電気部品が押圧部材で押圧される前に、押圧部材がストッパ手段に接触して下降位置に押し込まれる。
【００１３】
また、上記スライドガイド部は、上記載置部に載置された電気部品の側面に接触する接触部を有する細長い板状のものである。これにより、上記スライドガイド部の接触部が載置部に載置された電気部品の側面に接触し、この電気部品を固定ガイド部に正対させてスライドさせる。
【００１４】
さらに、上記スライドガイド部の両端部が、上記ストッパ手段と係合するようになっている。これにより、上記スライドガイド部の両端部がストッパ手段と係合し、このストッパ手段の上下動に連動してスライドガイド部が固定ガイド部に正対してスライドする。
【００１５】
さらにまた、上記スライドガイド部の上面側に、電気部品を載置部に誘い込むためのガイド形状が形成されている。これにより、上記ガイド形状によって載置部の上方から落とし込まれた電気部品が載置部に誘い込まれ、その上面に確実に載置される。
【００１６】
そして、上記付勢手段は、トーションスプリングである。これにより、小さなスペースで大きな付勢力を得ることができる。
【００１７】
【発明の実施の形態】
以下、本発明の実施の形態を添付図面に基づいて詳細に説明する。
図１は本発明による電気部品用ソケットの実施の形態を示す斜視図である。この電気部品用ソケットは、図１に示すＩＣパッケージ１などの電気部品についての性能検査を行う工程において、ＩＣパッケージ１を着脱可能に保持して外部の測定器（図示省略）に電気的に接続する治具であって、いわゆるクラムシェルタイプと呼ばれるもので、ソケット本体２と、カバー部材３と、ラッチ部材４と、レバー部材５とを備え、さらに位置決め手段６を備えて成る。
【００１８】
図１に示すソケット本体２は、この電気部品用ソケットのベース部材となるもので、強度が高く、かつ耐熱性に優れた樹脂によって平板状に成型されている。このソケット本体２の略中央部には、矢印Ａの方向に落とし込まれるＩＣパッケージ１を載置するための載置部７が設けられており、その上面には複数本のコンタクトピン（図示せず）が取り付けられ、ＩＣパッケージ１の下面に設けられた複数個の接続端子との電気的接触を図るようになっている。
【００１９】
また、ソケット本体２の一端側（図１における右側の一辺）の左右両側には軸受部８が設けられており、この軸受部８に通されたシャフト９にカバー部材３が軸支されている。このカバー部材３は、ソケット本体２の載置部７の上面に載置されたＩＣパッケージ１を押さえつけて固定する押圧部材となるものであって、シャフト９を回転軸として開閉可能とされており、矢印Ｂの方向に閉じた状態のときに（図示省略）、載置部７に載置されたＩＣパッケージ１を覆うようになっている。このカバー部材３の裏面には、ＩＣパッケージ１を押圧して固定するためのプレッシャープレート１０が設けられている。さらに、このカバー部材３の左右両側面の略中央部には操作部１１が設けられており、この操作部１１で後述するレバー部材５から力を受けるようになっている。
【００２０】
さらに、ソケット本体２の他端側（図１における左側の一辺）の左右両側には他の軸受部１２が設けられており、この他の軸受部１２に通されたシャフト１３にラッチ部材４及びレバー部材５が軸支されている。このラッチ部材４は、他の軸受部１２に通されたシャフト１３を回転軸として開閉可能とされており、矢印Ｃの方向に閉じた状態のときに（図示省略）、前述の閉じた状態のカバー部材３の先端部３ａに係止して、その閉状態を保持するようになっている。
【００２１】
また、このレバー部材５は、前述したラッチ部材４と同様に、他の軸受部１２に通されたシャフト１３を回転軸として開閉可能とされており、矢印Ｄの方向に閉じて下方に押さえつけたときに（図示省略）、ラッチ部材４によって閉状態に保持されたカバー部材３の操作部１１に対して下方向に力を与えるもので、載置部７に載置されたＩＣパッケージ１を押圧して固定するようになっている。
【００２２】
ここで、本発明においては、ＩＣパッケージ１を載置するソケット本体２に、位置決め手段６，６が設けられている。この位置決め手段６は、ＩＣパッケージ１がカバー部材３で押圧される前に、載置部７の周縁部の一部に設けられた例えばＬ字形の固定ガイド部１４に当接されるＩＣパッケージ１の側面１ａ，１ａと反対側の側面１ｂ，１ｂを固定ガイド部１４の方向に押し、ＩＣパッケージ１を固定ガイド部１４に当接させて所定の載置位置に位置決めするもので、図２に示すように、プレート部材１５と、スライドガイド部１６と、ピン１７と、トーションスプリング１８と、カム部材１９と、コイルスプリング２０とから成る。
【００２３】
図２に示すプレート部材１５は、ＩＣパッケージ１を載置する載置部７となるものであって、絶縁材料でできており、ＩＣパッケージ１の形状に適応した形状に形成され、例えば平面視で正方形の板状体とされている。このプレート部材１５の周縁部の一部、例えば図２における奥側の二辺には、平面視でＬ字形の固定ガイド部１４が取り付けられている。この固定ガイド部１４は、図１に示すように、載置部７に載置されるＩＣパッケージ１の奥側の側面１ａが当接される部材となるもので、ＩＣパッケージ１を載置部７に誘い込むためのガイド形状２１，２１が各辺の所定位置、例えば両側部に設けられている。なお、この固定ガイド部１４は、図３に示すように、プレート部材１５とは別体とされているが、本発明はこれに限られず、プレート部材１５に一体的に成型してもよい。
【００２４】
また、図２に示すように、プレート部材１５の周縁部にて固定ガイド部１４の反対側には、スライドガイド部１６，１６が取り付けられている。この場合、図３に示すように、このプレート部材１５の周縁部のうち、固定ガイド部１４の取り付け位置と反対側の二辺、すなわち図３における手前側の二辺には例えば２個ずつの長孔２２，２２が形成されており、この長孔２２，２２に上方からスライドガイド部１６が取り付けられている。このスライドガイド部１６は、プレート部材１５に載置されたＩＣパッケージ１の手前側の側面１ｂ（図１参照）に接触する接触部を有する細長い板状のもので、固定ガイド部１４の一辺と同等の長さとされている。
【００２５】
このスライドガイド部１６は、図４に示すように、その中央部に後述するピン１７（図３参照）を通すための長孔１６ａが形成されており、この長孔１６ａの左右両側にてスライドガイド部１６の背面側には、後述するトーションスプリング１８（図３参照）から力を受ける被押圧部１６ｂ，１６ｂが設けられている。また、このスライドガイド部１６の内側辺部には、ＩＣパッケージ１を載置部７に誘い込むための斜面状のガイド形状１６ｃ，１６ｃが例えば二つ設けられており、各ガイド形状１６ｃの前面部の二点がＩＣパッケージ１の側面１ｂ（図１参照）に接触する接触部となる。さらに、スライドガイド部１６の両端部には、係合部１６ｄ，１６ｄが形成されており、後述するカム部材１９（図３参照）と係合するようになっている。
【００２６】
さらに、図３に示すように、プレート部材１５の長孔２２，２２に取り付けられたスライドガイド部１６の長孔１６ａ（図４参照）には、後述するトーションスプリング１８を軸部に取り付けた状態のピン１７が通されており、このピン１７の先端部がプレート部材１５に形成されたネジ穴２３に螺合されている。このトーションスプリング１８は、スライドガイド部１６を固定ガイド部１４の方向に付勢する付勢手段となるもので、図２に示すように、その両端部がスライドガイド部１６の被押圧部１６ｂ，１６ｂ（図４参照）に係止して押圧するようになっている。これにより、図２に示す二つのスライドガイド部１６は、その反対側の固定ガイド部１４の方向、すなわち図２の矢印Ｅの方向にスライドするようになっている。
【００２７】
このとき、スライドガイド部１６を固定ガイド部１４の方向に付勢する付勢手段としてトーションスプリング１８を用いたことにより、小さなスペースで大きな付勢力を得ることができる。具体的に、大きな付勢力を得るためには、例えば剛性の高い材質の部材を用いてトーションスプリング１８を形成したり、あるいはトーションスプリング１８の巻き数を多くすればよい。これにより、ＩＣパッケージ１をスライドさせるときに生じる摩擦力よりも大きな付勢力を得ることができる。また、例えば大型で重量の重いＩＣパッケージ１を保持するための電気部品用ソケットに適用した場合にも、トーションスプリング１８を小さなスペースに取り付けることができる。
【００２８】
さらにまた、図２に示すように、スライドガイド部１６の両端部には、カム部材１９が上下動可能に取り付けられている。この場合、図３に示すように、プレート部材１５の四つの隅部のうち、固定ガイド部１４が取り付けされない三つの隅部にはカム用孔２４，２４，２４が形成されており、それぞれの角孔２４に下方からカム部材１９が取り付けられている。このカム部材１９は、上昇位置でスライドガイド部１６が固定ガイド部１４の方向にスライドするのを停止し下降位置でその停止を解除するストッパ手段となるもので、図５に示すように、上昇位置でスライドガイド部１６の係合部１６ｄ（図４参照）と係合する基端部１９ａと、下降位置でスライドガイド部１６の係合部１６ｄ（図４参照）と係合する先端部１９ｂと、スライドガイド部１６の係合部１６ｄ（図４参照）を基端部１９ａと先端部１９ｂとの間で移行させる中間部１９ｃとが形成されており、基端部１９ａの下面には外方に張り出した抜け止め部１９ｄが形成されている。具体的には、このカム部材１９は、基端部１９ａがプレート部材１５の角孔２４（図３参照）に合致する太さの角柱状に形成され、先端部１９ｂが細い角柱状に形成され、基端部１９ａと先端部１９ｂの中間部１９ｃが先細りのテーパ状に形成されている。
【００２９】
これにより、図３に示すように、プレート部材１５の隅部に形成された角孔２４の下方からカム部材１９を挿入すると、図２に示すように、このカム部材１９の基端部１９ａが角孔２４と合致し、その抜け止め部１９ｄがプレート部材１５の裏面に当接してカム部材１９が上昇位置で止まるようになる。
【００３０】
そして、図２に示すように、プレート部材１５の三つの隅部に取り付けられたカム部材１９の下面にはコイルスプリング２０が配設されている。このコイルスプリング２０は、カム部材１９を上方向に付勢するものであって、カム部材１９に対し下方に力を加えると縮むようになっている。これにより、カム部材１９に力が加えられていない状態のときには、図２に示すように、カム部材１９はコイルスプリング２０で押し上げられて上昇位置となる。したがって、図５に示すカム部材１９の基端部１９ａと、図４に示すスライドガイド部１６の係合部１６ｄとが係合し、図２に示すように、カム部材１９でスライドガイド部１６が固定ガイド部１４の方向にスライドするのを停止し、このスライドガイド部１６がプレート部材１５の周縁部に押し広げられた状態となる。
【００３１】
これに対し、図２に示すカム部材１９を下方に押し込んだときには、コイルスプリング２０が縮んでカム部材１９は下降位置となる（図示省略）。このとき、図５に示すカム部材１９の中間部１９ｃのテーパ形状により、図２に示すスライドガイド部１６の停止状態が解除され、このスライドガイド部１６の係合部１６ｄがカム部材１９の中間部１９ｃと係合しながら先端部１９ｂに移行してゆく。これにより、図２に示すスライドガイド部１６は、矢印Ｅに示すように、固定ガイド部１４の方向にスライドするようになり、スライドガイド部１６の係合部１６ｄがカム部材１９の先端部１９ｂと係合する位置で止まる。したがって、このカム部材１９の上下動に連動してスライドガイド部１６を固定ガイド部１４に正対してスライドすることができる。
【００３２】
このような状態のとき、このカム部材１９は、図１に示すカバー部材３によってＩＣパッケージ１が押圧される前に下降位置に押し込み可能とされている。具体的には、カム部材１９が上昇位置のときには、載置部７に載置されたＩＣパッケージ１の高さよりも高くなるように形成されている（図６参照）。
【００３３】
次に、このように構成された電気部品用ソケットの使用方法について、図１及び図６、図７を参照して説明する。まず、図１に示すように、ソケット本体２の載置部７にＩＣパッケージ１を矢印Ａの方向に落とし込む。このとき、ＩＣパッケージ１の外形寸法の公差が大きい場合には、その公差の小さい辺が固定ガイド部１４に当接されるように落とし込む。ここで、上述したように、スライドガイド部１６の内側辺部には、ＩＣパッケージ１を載置部７に誘い込むためのガイド形状１６ｃ，１６ｃ（図４参照）が設けられているため、ＩＣパッケージ１は、図６に示すように、ソケット本体２の載置部７の上面に確実に載置される。
【００３４】
次に、図１に示すカバー部材３を矢印Ｂの方向に閉じる（図示省略）。上述したように、図１に示すソケット本体２の上面にて固定ガイド１４の反対側には、位置決め手段６，６が設けられているため、ＩＣパッケージ１がカバー部材３で押圧される前に、固定ガイド部１４に当接されるＩＣパッケージ１の側面１ａ，１ａと反対側の側面１ｂ，１ｂが固定ガイド部１４の方向に押され、ＩＣパッケージ１を固定ガイド部１４に片寄せして当接させ、所定の載置位置に位置決めすることができる。
【００３５】
具体的には、図６に示すように、カム部材１９は、上昇位置のときには載置部７に載置されたＩＣパッケージ１よりも高くなっているため、カバー部材３に設けられたプレッシャープレート１０（図１参照）がＩＣパッケージ１を押圧する前にプレッシャープレート１０がカム部材１９に接触し、このカム部材１９を下方向に押し込むようになる。これにより、図７に示すように、ＩＣパッケージ１がプレッシャープレート１０（図１参照）で押圧される前に、このＩＣパッケージ１をスライドガイド部１６で押して固定ガイド部１４の方向にスライドすることができる。
【００３６】
上述したように、このスライドガイド部１６は、図１に示すＩＣパッケージ１の側面１ｂに接触する細長い板状のものであることにより、スライドガイド部１６によるＩＣパッケージ１の片寄せのバラツキを吸収することができ、このＩＣパッケージ１を固定ガイド部１４に正対させてスライドさせることができる。また、図２に示すように、二つのスライドガイド部１６，１６は、それぞれ矢印Ｅの方向にスライドするため、ＩＣパッケージ１はその合力を受けて押され、固定ガイド部１４に対して角度がずれないように所定の載置位置に正確に位置決めすることができる。このとき、図１に示すカバー部材３のプレッシャープレート１０は、既にＩＣパッケージ１のすぐ上面に位置するようになっているため（図示省略）、スライドガイド部１６をスライドさせてＩＣパッケージ１を片寄せするときに、ＩＣパッケージ１が振動などでガタついたりしても、ポップアップによる脱落などの不具合を防止することができる。
【００３７】
そして、図１に示すように、ラッチ部材４を矢印Ｃの方向に閉じてカバー部材３の閉状態を保持し（図示省略）、さらにレバー部材５を矢印Ｄの方向に閉じてカバー部材３を押圧する。これにより、閉状態とされたカバー部材３の操作部１１に対し下方向に力が加えられるようになり、ＩＣパッケージ１を押さえつけて固定することができる。このことから、ＩＣパッケージ１の正確な位置決めが完了してから、このＩＣパッケージ１が押圧されることとなる。したがって、ＩＣパッケージ１の下面に設けられた各接続端子が載置部７に取り付けられた複数本のコンタクトピン（図示せず）に合致してからＩＣパッケージ１が押圧されるため、その電気的接続を図ることができる。
【００３８】
さらに、次のＩＣパッケージ１を保持するときには、図１に示すように、レバー部材５を開いた状態としてから、ラッチ部材４によるカバー部材３の閉状態を解除し、さらにこのカバー部材３を開く。このとき、カム部材１９はカバー部材３による押し込みが解除されるため、図６に示すように、コイルスプリング２０によりカム部材１９が上昇位置に押し上げられる。このとき、図７に示すカム部材１９の先端部１９ｂと係合されたスライドガイド部１６の係合部１６ｄは、図６に示すカム部材１９のテーパ形状の中間部１９ｃと係合しながら基端部１９ａに移行してゆくため、図２に示すように、スライドガイド部１６はプレート部材１５の周縁部に押し広げられた状態となる。これにより、図１に示すように、カバー部材３を開いた状態のときには、スライドガイド部１６，１６が載置部７の外側に押し広げた状態となるため、ＩＣパッケージ１の挿抜をスムーズに行うことができる。
【００３９】
図８は、本発明による位置決め手段の他の変形例を示す斜視図であり、カム部材１９が上昇位置に押し上げられてスライドガイド部１６が広げられた状態を示す。また図９は、図８に示すカム部材１９が下降位置にまで押し込まれてスライドガイド部１６がスライドした状態を示す。この変形例は、トーションスプリング１８から力を受ける被押圧部材２５，２５がスライドガイド部１６とは別体に設けられており、この被押圧部材２５の内側辺部に、ＩＣパッケージ１を載置部７に誘い込むためのガイド形状２５ａが設けられている。この場合でも、前述の図６、図７と同様に動作する。
【００４０】
なお、以上の説明において、本発明による電気部品用ソケットは、カバー部材３がソケット本体２の一端側にて開閉可能に軸支されたクラムシェルタイプのものとして説明したが、本発明はこれに限られず、操作部材となるソケットカバーをソケット本体に対し上下動可能に取り付けたオープントップタイプの電気部品用ソケットに対しても適用することができる。また、電気部品用ソケットに着脱可能に保持される電気部品は、その下面に設けられた接続端子が平面状に形成されたＬＧＡに限られず、その接続端子が球状に形成されたＢＧＡの場合においても、適用することができる。
【００４１】
また、以上の説明において、図１に示すＩＣパッケージ１の手前側の側面１ｂは、スライドガイド部１６に設けられた二つのガイド形状１６ｃの前面側の二点で押されてスライドするとして説明したが、ＩＣパッケージ１の側面１ｂを押すのは二点に限られず、一点又は三点以上、あるいは側面全体でもよい。
【００４２】
【発明の効果】
本発明は以上のように構成されたので、請求項１に係る発明によれば、ソケット本体の載置部に載置された電気部品を押圧部材で押圧して固定し、外部の回路に電気的に接続させる電気部品用ソケットにおいて、上記ソケット本体に、上記載置部に載置された電気部品の側面を押して位置決めする手段を備えたことによって、電気部品が押圧部材で押圧される前に、載置部の周縁部の一部に設けられた固定ガイド部に当接される電気部品の側面と反対側の側面が固定ガイド部の方向に押され電気部品を固定ガイド部に当接させて所定の載置位置に位置決めすることができる。これにより、外形寸法の公差が大きい電気部品であっても角度がずれないようになり所定の載置位置に正確に位置決めすることができる。したがって、電気部品の各接続端子と電気部品用ソケットの所定のコンタクトピンとの電気的接続を図ることができる。
【００４３】
ここで、請求項２に係る発明によれば、上記位置決め手段は、上記載置部の周縁部にて固定ガイド部の反対側に取り付けられ固定ガイド部の方向にスライド可能とされたスライドガイド部と、このスライドガイド部を固定ガイド部の方向に付勢する付勢手段と、上下動可能とされ上昇位置で上記スライドガイド部が固定ガイド部の方向にスライドするのを停止し下降位置でその停止を解除するストッパ手段とを備えて成ることにより、上下動可能とされたストッパ手段が上昇位置のときには付勢手段で付勢されたスライドガイド部が固定ガイド部の方向にスライドするのを停止し、このストッパ手段が下降位置のときにはスライドガイド部の停止が解除されて固定ガイド部の方向にスライドすることができる。
【００４４】
また、請求項３に係る発明によれば、上記ストッパ手段は、上方向に付勢されて上記載置部に取り付けられ、上昇位置に押し上げられた状態で上記スライドガイド部が固定ガイド部の方向にスライドするのを停止し、下降位置に押し込まれた状態でその停止を解除するカム部材から成ることにより、このストッパ手段が上昇位置に押し上げられているときにはスライドガイド部が固定ガイド部の方向にスライドするのを停止し、ストッパ手段が下降位置に押し込まれたときにはスライドガイド部の停止が解除されて固定ガイド部の方向にスライドすることができる。
【００４５】
さらに、請求項４に係る発明によれば、上記ストッパ手段は、押圧部材によって電気部品が押圧される前に下降位置に押し込み可能とされていることにより、電気部品が押圧部材で押圧される前に、押圧部材がストッパ手段に接触して下降位置に押し込むことができる。したがって、電気部品が押圧部材で押圧される前に、電気部品を所定の載置位置に位置決めすることができる。また、電気部品を位置決めするときに、電気部品の脱落などの不具合を防止することができる。
【００４６】
また、請求項５に係る発明によれば、上記スライドガイド部は、上記載置部に載置された電気部品の側面に接触する接触部を有する細長い板状のものであることにより、このスライドガイド部の接触部が載置部に載置された電気部品の側面に接触し、この電気部品を固定ガイド部に正対させてスライドさせることができる。
【００４７】
さらに、請求項６に係る発明によれば、上記スライドガイド部の両端部が、上記ストッパ手段と係合するようになっていることにより、スライドガイド部の両端部がストッパ手段と係合し、このストッパ手段の上下動に連動してスライドガイド部が固定ガイド部に正対してスライドすることができる。
【００４８】
さらにまた、請求項７に係る発明によれば、上記スライドガイド部の上面側に、電気部品を載置部に誘い込むためのガイド形状が形成されたことにより、このガイド形状によって載置部の上方から落とし込まれた電気部品が載置部に誘い込まれ、その上面に確実に載置することができる。
【００４９】
そして、請求項８に係る発明によれば、上記付勢手段は、トーションスプリングであることにより、小さなスペースで大きな付勢力を得ることができる。したがって、電気部品をスライドさせるときに生じる摩擦力よりも大きな付勢力を得ることができ、またスライドガイド部による片寄せのバラツキを吸収することができる。また、大型で重量の重い電気部品を保持するための電気部品用ソケットに適用する場合にも、このトーションスプリングを小さなスペースに取り付けることができる。
【図面の簡単な説明】
【図１】本発明による電気部品用ソケットの実施の形態を示す斜視図である。
【図２】図１に示す電気部品用ソケットに設けられた位置決め手段の構成を示す斜視図である。
【図３】図２に示す位置決め手段を分解した状態を示す斜視図である。
【図４】図３に示す位置決め手段を構成するスライドガイド部の形状を示す斜視図である。
【図５】図３に示す位置決め手段を構成するカム部材の形状を示す斜視図である。
【図６】図１に示す電気部品用ソケットの載置部にＩＣパッケージが載置された状態を示す要部拡大斜視図である。
【図７】図６に示すＩＣパッケージがスライドガイド部で押されてスライドした状態を示す要部拡大斜視図である。
【図８】本発明による電気部品用ソケットに設けられた位置決め手段の他の変形例を示す要部拡大斜視図である。
【図９】図８に示す位置決め手段がスライドした状態を示す要部拡大斜視図である。
【符号の説明】
１…ＩＣパッケージ
２…ソケット本体
３…カバー部材
４…レバー部材
５…ラッチ部材
６…位置決め手段
７…載置部
８，１２…軸受部
９，１３…シャフト
１０…プレッシャープレート
１１…操作部
１４…固定ガイド部
１５…プレート部材
１６…スライドガイド部
１７…ピン
１８…トーションスプリング
１９…カム部材
２０…コイルスプリング
【図１】
2004296155.tif 000003
【図２】
2004296155.tif 000004
【図３】
2004296155.tif 000005
【図４】
2004296155.tif 000006
【図５】
2004296155.tif 000007
【図６】
2004296155.tif 000008
【図７】
2004296155.tif 000009
【図８】
2004296155.tif 000010
【図９】
2004296155.tif 000011